(57)【要約】      （修正有）【課題】エンジンルーム内におけるレイアウト自由度の向上を図ることが可能なブレーキ制御装置を提供すること。【解決手段】マスタシリンダと各輪に制動力を発生するホイルシリンダとを接続する配管上に設けられたブレーキユニットであって、前記ブレーキユニットは、ハウジングの上面に形成された前記マスタシリンダと配管を介して接続する第１ポートと、前記ハウジングの上面に形成された前記ホイルシリンダと配管を介して接続する第２ポートと、前記ハウジング内に設けられたポンプと、前記ハウジングの第１側面に取り付けられ前記ポンプを回転駆動するモータと、前記運転者のブレーキペダル操作により移動するマスタシリンダ内のブレーキ液を貯留するストロークシミュレータと、を備え、前記ストロークシミュレータは、前記第１側面において前記モータのモータ回転軸を通り前記上面に平行な仮想線と上面との間に位置するように取り付けられている。【選択図】図１
2011126536.tif 000002
【特許請求の範囲】
【請求項１】
運転者のブレーキペダル操作により液圧を発生する第１液圧源としてのマスタシリンダと各輪に制動力を発生するホイルシリンダとを接続する配管上に設けられたブレーキユニットであって、
前記ブレーキユニットは、ハウジングの上面に形成された前記マスタシリンダと配管を介して接続する第１ポートと、
前記ハウジングの上面に形成された前記ホイルシリンダと配管を介して接続する第２ポートと、
前記ハウジング内に設けられたポンプと、
前記ハウジングの第１側面に取り付けられ前記ポンプを回転駆動するモータと、
前記運転者のブレーキペダル操作により移動するマスタシリンダ内のブレーキ液を貯留するストロークシミュレータと、
を備え、
前記ストロークシミュレータは、前記第１側面において前記モータのモータ回転軸を通り前記上面に平行な仮想線と上面との間に位置するように取り付けられていることを特徴とするブレーキユニット。
【請求項２】
請求項１に記載のブレーキユニットにおいて、
前記ハウジングの前記第１側面に対向する第２側面側に設けられたユニットと、
前記ストロークシミュレータは、前記ハウジングの第１側面側に前記ハウジングを第１側面側から見たときに第１側面に連続して形成した第３側面側に偏移した位置に取り付けられ、
前記ユニットは前記ハウジングを第１側面側から見たときに前記第３側面に対向し、前記第１側面に連続して形成した第４側面側に前記ハウジングの外部からの信号を取り込むコネクタと接続するための接続ポートが位置するように構成されていることを特徴とするブレーキユニット。
【請求項３】
請求項１又は２に記載のブレーキユニットにおいて、
前記ストロークシミュレータと前記モータは前記第３側面側からみたときに前記ストロークシミュレータと前記モータの一部がオーバーラップした位置に取り付けられていることを特徴とするブレーキユニット。
【発明の詳細な説明】
【技術分野】
【０００１】
本発明は、車両のブレーキ制御装置に関し、特にブレーキバイワイヤ技術に関する。
【背景技術】
【０００２】
従来、ブレーキバイワイヤシステム（以下、BBWシステムと記載する）として、特許文献１に記載の技術が開示されている。この公報には、アキュムレータに蓄圧されたブレーキ液をホイルシリンダに供給することによりブレーキを作動する構成を有している。この構成により、アキュムレータに蓄圧されるブレーキ液の圧力を可及的に高く設定することにより通常時に必要な制動力を速やかにホイルシリンダに供給することを可能としている。
【先行技術文献】
【特許文献】
【０００３】
【特許文献１】特開２０００−１６８５３６号公報
【発明の概要】
【発明が解決しようとする課題】
【０００４】
上記従来のBBWシステムでは、運転者のブレーキペダルストロークを確保し、更に運転者に踏力感を付与する構成としてストロークシミュレータが設けられている。このストロークシミュレータは、マスタシリンダと一体に、もしくはマスタシリンダ近傍に配置されている。すなわち、BBWシステムの採用により、負圧ブースター等の倍力装置を排除したにもかかわらず、そのスペースに別途ストロークシミュレータが配置されるため、省スペース化の妨げとなり、エンジンルーム内のレイアウトに制限が生じていた。
【０００５】
本発明は、上記問題に着目してなされたもので、その目的とするところは、エンジンルーム内におけるレイアウト自由度の向上を図ることが可能なブレーキ制御装置を提供することを目的とする。
【課題を解決するための手段】
【０００６】
上記目的を達成するため、本発明のブレーキユニットでは、運転者のブレーキペダル操作により液圧を発生する第１液圧源としてのマスタシリンダと各輪に制動力を発生するホイルシリンダとを接続する配管上に設けられたブレーキユニットであって、前記ブレーキユニットは、ハウジングの上面に形成された前記マスタシリンダと配管を介して接続する第１ポートと、前記ハウジングの上面に形成された前記ホイルシリンダと配管を介して接続する第２ポートと、前記ハウジング内に設けられたポンプと、前記ハウジングの第１側面に取り付けられ前記ポンプを回転駆動するモータと、前記運転者のブレーキペダル操作により移動するマスタシリンダ内のブレーキ液を貯留するストロークシミュレータと、を備え、前記ストロークシミュレータは、前記第１側面において前記モータのモータ回転軸を通り前記上面に平行な仮想線と上面との間に位置するように取り付けられている。
【発明の効果】
【０００７】
よって、マスタシリンダ周辺の構成をコンパクト化することが可能となり、エンジンルーム内のレイアウト自由度を向上することができる。
【図面の簡単な説明】
【０００８】
【図１】実施例１のブレーキ制御装置を適用したブレーキバイワイヤ制御のシステム構成を表すシステム図である。
【図２】実施例１のコントロールユニットの構成を表す制御ブロック図である。
【図３】実施例１におけるブレーキ制御装置の概略を表す回路図である。
【図４】実施例１のブレーキユニットH/Uの外観を表す斜視図である。
【図５】実施例１のブレーキユニットH/Uのモータ側から見た正面図である。
【図６】実施例１のブレーキユニットH/Uのコネクタ側から見た側面図である。
【図７】実施例１の第１ユニットH1内の各種電子部品及び油路のみを表す透視図である。
【図８】実施例１のブレーキユニットH/Uにおける部分断面図を表す図である。
【図９】実施例２のブレーキユニットH/Uにおける部分断面図を表す図である。
【発明を実施するための形態】
【０００９】
以下、本発明のブレーキ制御装置を実現する最良の形態を、図面に示す実施例１に基づいて説明する。
【実施例１】
【００１０】
図１は実施例１のブレーキ制御装置の全体構成を表すシステム図である。運転者の操作するブレーキペダル１にはロッド１ａが接続され、マスタシリンダ３内のピストンと接続されている。また、ロッド１ａには、運転者の踏力を検出する踏力センサ100と、ブレーキペダルストローク量を検出するストロークセンサ101が設けられている。
【００１１】
マスタシリンダ３にはリザーバタンク２が設けられ、ブレーキ液量が変動したとしても、安定したロッド１ａのストローク量を確保するように構成されている。マスタシリンダ３にはマスタシリンダ内のブレーキ液をブレーキユニットH/Uとの間で給排するマスタシリンダ用の配管である油路３１，３２と、ブレーキユニットH/U内の液圧源であるギヤポンプ１０の吸入用、もしくはホイルシリンダW/C減圧時のブレーキ液をリザーバタンク２に還流する還流用のリザーバタンク用の配管である油路３６が設けられている。尚、マスタ用配管はタンデム型マスタシリンダを用いているため実際には二本設けられている。また、ブレーキユニットH/Uと、各車輪に制動力を発生するホイルシリンダW/Cとの間でブレーキ液を給排するホイルシリンダ用の配管である油路３３，３３ａ，３４，３４ａが設けられている。
【００１２】
ブレーキユニットH/Uには、マスタシリンダ用の配管である油路３１，３２と接続する第１ポートH11，H12と、ホイルシリンダ用の配管である油路３３，３３ａ，３４，３４ａと接続する第２ポートH13，H14，H15，H16と、リザーバタンク用の配管である油路３６と接続する第３ポートH17が設けられている。
【００１３】
BBWコントローラCUは、踏力センサ100，ストロークセンサ101，車輪の回転速度を検出する車輪速センサ102，ブレーキユニットH/U内の各種液圧センサから入力されたセンサ信号に基づいて、ブレーキユニットH/U内の各種電磁弁及びモータ５０を制御する。尚、液圧センサや電磁弁については後述する。
【００１４】
図２は、BBWコントローラCU内の構成を表す制御ブロック図である。BBWコントローラCU内には、運転者のブレーキペダル操作状態を検出する踏力センサ100及びストロークセンサ101等により検出された操作状態に基づいて、目標ホイルシリンダ圧を算出する目標シリンダ液圧算出部CU1と、イグニッション信号103等に基づいて、ブレーキバイワイヤシステムを起動すべきかどうかを判断するシステム起動判断部CU2が設けられている。
【００１５】
目標シリンダ液圧算出部CU1により目標シリンダ液圧が算出されると、ギヤポンプ１０用のモータ５０の駆動を制御するモータ駆動制御部CU11，後述するインバルブ１３，１３ａ，１４，１４ａの弁状態を制御するインバルブ制御部CU12と、後述するアウトバルブ１５，１５ａ，１６，１６ａの弁状態を制御するアウトバルブ制御部CU13に対して各種指令信号が出力される。
【００１６】
システム起動判断部CU2によりシステム起動と判断されると、後述するシャットオフバルブ１１，１２の弁状態を制御するシャットオフバルブ制御部CU21と、後述するシャットバルブS1の弁状態を制御するシャット弁制御部CU22に対して各種指令信号が出力される。尚、システム起動判断部CU2では、イグニッション信号に限らず、ブレーキスイッチ等の信号や、ドアロックの解除信号等によってシステムを起動するようにしてもよく、特に限定しない。また、シャット弁制御部CU22は、基本的にはシステム起動判断部CU2の信号に基づいて作動するものの、他の制御要素によって制御されてもよく、特に限定しない。
【００１７】
図３は実施例１のブレーキ制御装置におけるブレーキユニットH/U内の油圧回路を表す回路図である。以下、図３の回路図について説明する。
【００１８】
〔ブレーキユニットの油路構成〕
左前輪のホイルシリンダＦＬには、油路３３，油路311，油路310及び油路３１を介してマスタシリンダ３に接続されている。右前輪のホイルシリンダＦＲには、油路３４，油路321，油路320及び油路３２を介してマスタシリンダ３に接続されている。左後輪のホイルシリンダＲＬには、油路３３ａ，油路311a，油路310及び油路３１を介してマスタシリンダ３に接続されている。右後輪のホイルシリンダＲＲには、油路３４ａ，油路321a，油路320及び油路３２を介してマスタシリンダ３に接続されている。
【００１９】
油路３１，３２にはそれぞれ常開のシャットオフバルブ１１，１２（第１切換弁に相当）が設けられている。このシャットオフバルブ１１，１２は通常ブレーキ時は閉弁とされ、フェール時に開弁される。常開弁とすることで、電気系統の失陥時には自動的に開弁となり、マニュアルブレーキを確保する。また、油路３２上であってマスタシリンダ３とシャットオフバルブ１２との間には、分岐油路３２ａが設けられている。分岐油路３２ａには、ノーマルクローズタイプのシャットバルブS1（第２切換弁に相当）を介してマスタシリンダ３のブレーキ液を貯留するストロークシミュレータSS（液吸収体に相当）が設けられている。
【００２０】
このストロークシミュレータSSは、マスタシリンダ３側ではなく、ブレーキユニットH/U側に配置されている点を特徴とする。実施例１のブレーキ制御装置は、従来技術に示したようなアキュムレータを備えていない。そこで、有利となったスペースにストロークシミュレータSSを搭載することで、マスタシリンダ近傍のスペースを更に確保することができる。また、既存のマスタシリンダを適用することが可能となり、コスト低減に貢献することができる。尚、ストロークシミュレータSSの詳細については後述する。
【００２１】
油路３１上には、液圧センサ２１が設けられている。油路３２上には、液圧センサ２２ａが設けられている。また、各輪のホイルシリンダに接続された油路３３，３３ａ，３４，３４ａ上には液圧センサ２３，２３ａ，２４，２４ａが設けられている。
【００２２】
ギヤポンプ１０は、ポンプ吸入側の油路３５とポンプ吐出側の吐出油路370との間に配置されている。油路３５は油路３６を介してリザーバタンク２と接続され、吐出油路370はリリーフバルブ１９を介して油路４３と接続されると共に、逆流防止用のチェックバルブ１７，１８を介して油路３７，３８と接続されている。
【００２３】
油路３７のギヤポンプ１０より下流側は油路３７ａと接続されている。油路３７ａ上には、ノーマルオープンタイプの比例制御弁であるインバルブ１３，１３ａが設けられている。油路３７ａの一端は油路311に接続され、他端は油路311aに接続されている。同様に、油路３８のギヤポンプ１０より下流側は油路３８ａと接続されている。油路３８ａには、ノーマルオープンタイプの比例制御弁であるインバルブ１４，１４ａが設けられている。油路３８ａの一端は油路321に接続され、他端は油路321aに接続されている。
【００２４】
油路311と油路３３との間には、油路３６に接続された油路４１が設けられている。油路４１上にはノーマルクローズタイプの比例制御弁であるアウトバルブ１５が設けられている。油路321と油路３４との間には、油路３６に接続された油路４２が設けられている。油路４２上にはノーマルクローズタイプの比例制御弁であるアウトバルブ１６が設けられている。油路311aと油路３３ａとの間には、油路３６に接続された油路４１ａが設けられている。油路４１ａ上にはノーマルクローズタイプの比例制御弁であるアウトバルブ１５ａが設けられている。油路321ａと油路３４ａとの間には、油路３６に接続された油路４２ａが設けられている。油路４２ａ上にはノーマルクローズタイプの比例制御弁であるアウトバルブ１６ａが設けられている。
【００２５】
尚、本実施例のブレーキユニットH/Uは１つのハウジングに１つのポンプを具備し、ポンプより４輪分の液圧供給を行う制御弁を搭載した構成となっているが、本実施例には限定されず、例えば、前輪の２つのホイルシリンダFR-FL、後輪の２つのホイルシリンダRL-RRの２つの群で各々ブレーキユニットH/Uを持ち、いずれか一方のブレーキユニットH/Uにストロークシミュレータを搭載した構成としてもよい。また、前輪２輪、後輪２輪の２つの群を構成するようにしてもよい。
【００２６】
また、前輪FR，FLと後輪RR，RLのいずれかの群の一方を油圧ブレーキユニットH/Uにて構成し、他方を電動式ブレーキにて構成するようにしてもよい。
【００２７】
〔通常ブレーキ制御〕
次に、ブレーキバイワイヤ制御が行われる通常制御時について説明する。尚、左側の前後輪と右側の前後輪では基本的に同じ作用であるため、左側の前後輪について説明する。ブレーキバイワイヤシステムが起動すると、シャットバルブS1が開き、シャットオフバルブ１１，１２が閉じる。ブレーキペダル１が踏み込まれると、マスタシリンダ３内のブレーキ液は、油路３２から油路３２ａへ供給され、シャットバルブS1を介してストロークシミュレータSSに貯留される。尚、ストロークシミュレータSS内の作用については後述する。このとき、ペダルストロークや踏力に基づいて目標ホイルシリンダ液圧が算出され、モータ５０に電流が供給される。
【００２８】
この状態でギヤポンプ１０が駆動すると、チェックバルブ１７を介して油路３７から油路３７ａにブレーキ液圧が供給される。更に、油路３７ａ上のインバルブ１３，１３ａを介して油路３３，３３ａから各ホイルシリンダW/C（ＦＬ，ＲＬ）にブレーキ液圧が供給され、所望の液圧に増圧される。一方、ホイルシリンダ圧を減圧するときは、ギヤポンプ１０の駆動を停止し、アウトバルブ１５，１５ａを開き、ホイルシリンダW/Cの液圧を油路４１，４１ａから油路３６に流すことでリザーバタンク２に還流される。
【００２９】
〔フェール時制御〕
フェール時には、全ての電磁弁への電流供給が遮断される。すると、シャットバルブS1が閉じ、シャットオフバルブ１１，１２が開く。ブレーキペダル１が踏み込まれると、マスタシリンダ３内のブレーキ液は、油路３１→油路310→油路311，311a→油路３３，３３ａを介してホイルシリンダW/Cに直接供給される。このとき、シャットオフバルブ１１，１２のみを経過したブレーキ液圧を供給することが可能となり、比較的小さな踏力でブレーキ液圧を発生することができる。尚、インバルブ１３，１３ａが開状態であっても、油路３７ａ及び油路３７はチェックバルブ１７によって閉じた系となっているため、ブレーキ液圧が流通することはない。
【００３０】
（ブレーキユニットについて）
図４はブレーキユニットH/Uの外観を表す斜視図、図５はモータ側から見た正面図、図６はコネクタ側から見た側面図である。更に、説明のため、図７には第１ユニットH1内の各種電子部品及び油路のみを表す透視図を示し、図８には部分断面図を示す。
【００３１】
ブレーキユニットH/Uは、アルミブロックから成る第１ユニットH1と、樹脂材料から成る第２ユニットH2と、樹脂材料から成るカバー部材H3から構成されている。第１ユニットH1は、モータ５０及びストロークシミュレータSSが取り付けられる第１側面H101と、第１側面H101と対向する第２側面H102と、ブレーキ配管が取り付けられる上面H103と、下面側インシュレータISUが取り付けられる下面H104と、ストロークシミュレータSSが偏倚する側の側面H105と、第２ユニットH2のコネクタH22が設けられる側の側面H106を有する。
【００３２】
第１側面H101には、モータ５０と、ストロークシミュレータSSと、側面側インシュレータISSが取り付けられている。モータ５０には、略等間隔にボルト固定用のハブ501〜504が4箇所設けられている。ハブ501〜504は、ハブ501とハブ部503とを結ぶ直線P1が、車載時の鉛直方向軸P2に対して直角方向からオフセットした状態で取り付けられている。これにより、ハブ501〜504を極力大きく取ることが可能となり、第１側面H101のスペースを有効に利用している。
【００３３】
第１側面H101の車載時下方であって両端には、正面側インシュレータISSが設けられている。正面側インシュレータISSは、第１ユニットH1からモータ軸と平行に突出した固定軸ISS1と、固定軸ISS1の外周を取り囲むように取り付けられた弾性部材としてのゴムISS2から構成されている。このゴムISS2の底面は、第１側面H101と直接当接することで効率よく振動低減を図っている。
【００３４】
ストロークシミュレータSSは、円筒形状であり、モータ回転軸G1を通る水平方向軸P3よりも車載時上方となる位置であって、鉛直方向軸P2よりも一方に偏倚した位置に取り付けられている。これにより、長方形である第１側面H101に対して円形のモータ５０を取り付けた残りのスペース内に効率よく配置している。
【００３５】
ストロークシミュレータSSは、図８の部分断面図に示すように、円筒状であって第１ユニットH1に固定される外筒SS1と、外筒SS1の底面SS1aに固定され略円錐形上の第１ゴム部材SS2と、外筒SS1のスプリング保持部SS1bと内筒SS4のスプリング保持部SS4aとの間に固定された第１スプリングSS3と、内筒SS4と、内筒SS4の底面SS4bとピストンSS6の段部SS6aとの間に固定された第２スプリングSS5と、ピストンSS6と、ピストンSS6の先端に固定された第２ゴム部材SS7と、ピストンSS6と外筒SS1の内周との間で液密に摺動するシール部材SS8から構成されている。
【００３６】
このストロークシミュレータSS内に、マスタシリンダ３からブレーキ液が供給されると、ピストンSS6の底面が押され、第２スプリングSS5の弾性力に抗して図８中左方に移動する。すると、内筒SS4とピストンSS6の先端に固定された第２ゴム部材SS7とが当接し、内筒SS4とピストンSS6とが一体となって第１スプリングSS3の弾性力に抗して図８中左方に移動する。内筒SS4と第１ゴム部材SS2とが弾性力を持って当接することで、運転者のブレーキペダルの踏みごたえを与えている。また、２つのスプリングの弾性力を使用することで、ブレーキペダル１のストローク量に応じて異なる踏みごたえを与えることができるように構成されている。具体的には、踏み込み量が増えると、踏みごたえが増大するように構成されている。尚、ストロークシミュレータの具体的な作用については、特開2004-330966号公報等に開示された内容を適用可能である。例えば、運転者の嗜好に応じてネジによる位置調整機構により、ばねの圧縮量を変更可能とすることで、踏力に対する反力の可変を行う構成としてもよく特に限定しない。
【００３７】
第１側面H101と対向する第２側面H102には、上述のインバルブ，アウトバルブ，液圧センサ等の電子部品が取り付けられる取付孔H102aが複数設けられている（図８参照）。これら電子部品は、取付孔H102aに挿入後、取付孔H102a周辺をカシメにより押し潰して固定している。尚、カシメ以外にも電子部品を取付孔H102aに圧入してもよいし、ねじ止め等によって固定しても良く、特に限定しない。シャットバルブS1は、ストロークシミュレータSSを第２側面H102へ投影した位置に取り付けられている。
【００３８】
また、第２側面H102には、第２ユニットH2が各種電子部品を覆うように取り付けられている。第２ユニットH2には、図５の正面図に示すように、電源や各種センサ信号及びCAN通信線等がまとめられたコネクタと接続する接続ポートH22と、この接続ポートH22を支持する支持部H21が設けられている。ブレーキユニットH/Uが車両に搭載される際、ユニット上部は各種配管が集中して配索され、ユニット下方及び正面には固定支持用のブラケットやモータ等が配置されるため、側面から集中的にコネクタを介して配線を取り出すようにしている。このとき、コネクタの接続容易性等を考慮して、支持部H21は、ストロークシミュレータSSが偏倚する側面とは対向する側面に設けられている。よって、コネクタ接続時等に突起物であるストロークシミュレータSSが阻害要因となることがない。
【００３９】
この第２ユニットH2には、図６の側面図に示すように、基板K1が取り付けられている。この基板K1には、モータ５０や各液圧センサ及び各電磁弁のコイルと電気的に接続されている。基板K1にはCPUやROM，RAM等が取り付けられ、コントロールユニットCUとして構成されている。このように、各種電子部品を一側面に並べて配置することで配線の簡略化及び組み付け性の向上を図っている。
【００４０】
第３ユニットH3は、第１ユニットH1との間で第２ユニットH2を挟み込むように取り付けられたカバー部材である。ここで、具体的な組み付け工程について説明する。まず、アルミブロックに各種油路や取付孔等を穿設し、第１ユニットH1を形成する。次に、第１ユニットH1の第２側面H102に各種電子部品を取り付け、カシメにより固定する。このとき、第２側面H102に対向する第１側面H101は平面であるため、不要な応力集中等を回避して安定したカシメを達成する。
【００４１】
次に、モータ５０及びストロークシミュレータSSを取り付ける。次に、第２ユニットH2を各種電子部品を覆うように取り付け、基板K1に対し各種電子部品との電気的接合を行う。ここで、電気的接合とは、各種電子部品から突出した端子と基板K1とを半田等により溶着することを表すが、必ずしも溶着する必要はなく、嵌合等により電気的接続を図っても良い。このとき、溶着を行う場合には、第２ユニットH2の背面となる第３ユニットH3側の面において行うことで、容易に溶着が可能となる。次に、第３ユニットH3を取り付けることでブレーキユニットH/Uの組み付けが完了する。このようにカバー部材である第３ユニットH3を設けることで、組み付け容易性を向上している。
【００４２】
上面H103には、各種配管が接続される複数のポートH11,H12,H13,H14,H15,H16が設けられている。上面H103の略中央部分に形成された第１ポートH11，H12には、マスタシリンダ３からの配管である油路３１，３２が接続される。第１ポートH11，H12を挟んで両側に形成された第２ポートH13,H14,H15,H16には、各ホイルシリンダW/Cからの配管である油路３３，３３ａ，３４，３４ａが接続されている。上面の中央に一箇所のみ形成された第３ポートH17には、リザーバタンク２からの配管である油路３６と接続される。これら各種配管は、油路３６を中心として左右対称に配置されている。
【００４３】
次に、図７の透視図について説明する。第１ポートH11，H12のうち、ポートH12には、直近（上面H103に近い位置）にストロークシミュレータSS及びシャットバルブS1と連通する横穴３２ｂが形成されている。この横穴３２ｂは、言い換えると、シャットバルブS1の第１側面H101への投影面にストロークシミュレータSSが配置されている。また、横穴３２ａにはポートH12と接続された分岐油路３２ａが同じ高さ位置に設けられ、極力油路抵抗を低減するように構成されている。
【００４４】
第１ポートH11，H12の近傍には、液圧センサ２１，２２ａが設けられている。ポンプ吐出孔はポンプハウジング下方よりチェックバルブ１７，１８に至るルートと、ポンプハウジング上方のリリーフバルブ１９を介して第３ポートH17に至るルートの2箇所が設けられている。チェックバルブ１７，１８に縦孔を介してインバルブ１３，１３ａ，１４，１４ａを設け、第２ポートH13,H14,H15,H16に至る縦穴に連通させる。第２ポートH13,H14,H15,H16に至る縦穴は左右２箇所に設けられ、途中の分岐路に液圧センサ２３，２３ａ，２４，２４ａとアウトバルブ１５，１５ａ，１６，１６ａが設けられている。また、各輪のアウトバルブ１５，１５ａ，１６，１６ａの出口は横孔にて互いに連通し、リザーバタンク２と接続する油路３６と交差している。
【００４５】
上記実施例１に基づく作用効果について説明する。
(a)ブレーキユニットH/Uは、マスタシリンダ３と配管を介して接続する第１ポートH11，H12と、ホイルシリンダW/Cと配管を介して接続する第２ポートH13,H14,H15,H16と、第１ポートH11，H12と第２ポートH13,H14,H15,H16の導通及び遮断を切り換えるシャットオフバルブ１１，１２（第１切換弁に相当）と、ポンプ１０（第２液圧源に相当）と、運転者のブレーキペダル操作により移動するマスタシリンダ内のブレーキ液を貯留するストロークシミュレータSS（液吸収体に相当）と、第１ポートH11，H12とストロークシミュレータSSとを接続する分岐油路３２ａと、分岐油路３２ａの導通及び遮断を切り換えるシャットバルブS1（第２切換弁に相当）とを有することとした。
【００４６】
すなわち、フェール時にマニュアルブレーキ回路を介して制動力を確保するブレーキバイワイヤシステムにおいて必須の構成であるストロークシミュレータSSをブレーキユニットH/U側に配置することで、マスタシリンダ周辺の構成をコンパクト化することが可能となり、エンジンルーム内のレイアウト自由度を向上することができる。また、既存のマスタシリンダをそのまま流用することが可能となり、システムのコストを低減することができる。
【００４７】
(b)第２液圧源はモータ５０により駆動されるギヤポンプ１０であり、モータ５０及びストロークシミュレータSSは、ブレーキユニットH/Uの第１側面H101に取り付けられている。
すなわち、ブレーキバイワイヤシステムに、モータ駆動のギヤポンプを搭載することで、従来技術で説明したようなアキュムレータを排除することができる。基本的にアキュムレータは高圧を常に封入する必要があるため、強度や安全性の要求に応えるべく大型化していた。このアキュムレータを排除したスペースにストロークシミュレータSSを配置することで、既存のブレーキユニットH/Uが占有していた領域を拡大することなくマスタシリンダ周辺のスペースを確保することができる。
【００４８】
(c)ブレーキユニットH/Uは、モータ５０，シャットオフバルブ１１，１２及びシャットバルブS1と電気的に接続された基板K1を有し、シャットオフバルブ１１，１２，シャットバルブS1及び基板K1は、第１側面H101と対向する第２側面H102に取り付けられている。
【００４９】
すなわち、電気的な接続が成される基板K1と各電子部品を一側面に集中して配置することで、半田付け等の組み付け容易性を確保することができる。また、基板K1と近接して配置することとなるため、配線の取り回しを容易とすると共に、配線における損失を極力低減することができる。また、仮に、電磁弁や液圧センサ等を取り付ける面と、ねじ等により固定されるストロークシミュレータSSやモータ５０等を取り付ける面とが同じ場合は、先にモータやストロークシミュレータSSを取り付けてしまうと、圧入またはカシメ工程が困難となる。よって、圧入またはカシメ工程後にモータやストロークシミュレータSSをねじ止め等により固定することになる。しかしながら、圧入やカシメにより面内に微妙な変形が発生した場合、ねじ穴の変形等を招くため製造上の効率が低下する虞がある。これ対し、異なる面に取り付けることとしたため、製造上の効率の向上をも図ることができる。
【００５０】
(d)シャットバルブS1は、第１側面H101に取り付けられたストロークシミュレータSSを第２側面H102へ投影した位置に取り付けられている。
【００５１】
すなわち、低温時にはブレーキ液の粘度が低下し、シャットバルブS1とストロークシミュレータSSの間の油路長が長いと、電磁弁の作動からストロークシミュレータのピストン移動に至るまでの応答が遅くなり、この応答遅れはバイワイヤ制御の運転者の踏み込み感覚に違和感を与える虞がある。これに対し、上記構成によりシャットバルブS1とストロークシミュレータSSとを近接して配置することが可能となり、油路による油圧損失を回避することができる。また、運転者のブレーキペダルのストロークに伴う違和感を抑制することができる。
【００５２】
(e)分岐油路３２ａ及びストロークシミュレータSSは、モータ５０の回転軸よりも第１ポートH11,H12側に配置されている。
よって、ブレーキユニットH/Uに導入されたマスタシリンダ側のブレーキ液を極力短い油路によりストロークシミュレータSSに供給することが可能となり、上記(d)の作用効果と同様、油路による油圧損失を回避することができる。
【００５３】
(f)ストロークシミュレータSSは、ブレーキユニットH/Uの車両搭載時に、モータ５０よりも上部となる位置に配置されている。
基本的にモータは最も重量の大きな構成部品であるため、モータを下部に配置し、ユニット全体の重心を下部に下げることで、車載時のバランスを安定させつつ、搭載性の向上を図ることができる。また、上部に配管が接続される複数のポートが設けられている場合には、ポートとストロークシミュレータSSの距離を近接して配置することで、管路抵抗を小さくすることができる。
【実施例２】
【００５４】
次に実施例２について説明する。基本的な構成は実施例１と同じであるため、異なる点についてのみ説明する。図９は実施例２のブレーキユニットH/Uを表す部分断面図である。実施例１ではストロークシミュレータSS内に複数のスプリングや弾性体であるゴムを配置し、これにより運転者のブレーキペダル操作に対して踏力特性を再現していた。これに対し、実施例２では、シャットバルブS1の開弁量を電子制御することで踏力特性を再現する点が異なる。
【００５５】
実施例２のシャット弁制御部CU22では、各種センサ値に基づいて、踏力特性として最適な値を算出し、この値に対応したシャットバルブS1の開弁量を指令信号として出力する。これにより、シャットバルブS1のオリフィス効果による負荷調整を行うことで、踏力特性を所望の値に設定する。このとき、実施例１に示すように複数のスプリングやゴム等を配置する必要がないため、図９の部分断面図に示すように、ストロークシミュレータSSには液量を吸収する容積として必要な大きさとすることで、ストロークシミュレータSSの小型化を図ることができる。
【００５６】
尚、運転者の踏力特性を、走行状態等に応じて適宜設定することも可能である。例えば、ストロークシミュレータをマスタシリンダ近傍等であってブレーキユニットH/Uと別の場所に設定した場合、協調制御を行うには、通信用の配線を配索、もしくは、ストロークシミュレータ専用のコントローラをCAN通信線上に配置する、といった必要がある。
【００５７】
このとき、CAN通信速度はバス負荷の増大により制御周期を短くできない虞があり、制御性が悪くフィーリング悪化を招く虞があり、好ましくない。これに対し、実施例２では、各輪のホイルシリンダ圧を制御する電磁弁と同じ位置にシャットバルブS1も配置されているため、ブレーキバイワイヤ制御との協調制御を行う場合には、配線の取り回し等が必要なく、またコントローラの数を増やす必要もないため、安定したフィーリングを得ることができる。また、ブレーキバイワイヤシステムに失陥が発生したときは、同様にシャットバルブS1は閉じられるため、通常のマニュアルブレーキを実行することができる。
【符号の説明】
【００５８】
１    ブレーキペダル
２    リザーバタンク
３    マスタシリンダ
１０    ギヤポンプ
１１，１２    シャットオフバルブ
１３，１３ａ，１４，１４ａ    インバルブ
１５，１５ａ，１６，１６ａ    アウトバルブ
１７，１８    チェックバルブ
１９    リリーフバルブ
２３，２３ａ，２４，２４ａ    液圧センサ（ホイルシリンダ用配管）
３１，３２    油路（マスタシリンダ用配管）
３２ａ    分岐油路
３３，３３ａ，３４，３４ａ    油路（ホイルシリンダ用配管）
３６    油路（リザーバタンク用配管）
５０    モータ
H/U    ブレーキユニット
S1    シャットバルブ
SS    ストロークシミュレータ
【図１】
2011126536.tif 000003
【図２】
2011126536.tif 000004
【図３】
2011126536.tif 000005
【図４】
2011126536.tif 000006
【図５】
2011126536.tif 000007
【図６】
2011126536.tif 000008
【図７】
2011126536.tif 000009
【図８】
2011126536.tif 000010
【図９】
2011126536.tif 000011